(57)【要約】【課題】止めねじを用いずに、測定子の指針停止位置を決定することが可能な梃子式ダイヤルゲージを提供する。【解決手段】本発明にかかる梃子式ダイヤルゲージは、地板２と、揺動軸５に揺動可能に設けられた測定子４と、測定子４と連結されて揺動軸５を支点にして測定子４と一体的に揺動するアーム部６と、を備え、前記アーム部６は、揺動軸５を支点にして揺動する角度を調整するための停止孔７、８を有し、停止孔７、８には停止孔７、８の直径より小さい直径のピン２０が挿入され、ピン２０は地板に対して固定されるものである。【選択図】図１
2014081304.tif 000002
【特許請求の範囲】
【請求項１】
地板と、
揺動軸に揺動可能に設けられた測定子と、
前記測定子と連結されて前記揺動軸を支点にして前記測定子と一体的に揺動するアーム部と、を備え、
前記アーム部は、前記揺動軸を支点にして揺動する角度を調整するための停止孔を有し、前記停止孔には前記停止孔の直径より小さい直径のピンが挿入され、前記ピンは前記地板に対して固定される梃子式ダイヤルゲージ。
【請求項２】
前記ピンは地板に穿設された穴に圧入されているものである、請求項１記載の梃子式ダイヤルゲージ。
【請求項３】
前記停止孔は、丸穴、半円と半円との間を直線で接続した長円、及び楕円のいずれかである、請求項１又は２記載の梃子式ダイヤルゲージ。
【請求項４】
前記停止孔に挿入されるピンは、前記地板に圧入される圧入部と前記アーム部の前記停止孔に挿入される挿入部とを備え、
前記圧入部の直径と前記挿入部の直径とが異なるものである、請求項1乃至５のうちいずれか１項記載の梃子式ダイヤルゲージ。
【請求項５】
前記圧入部に対して前記挿入部が偏芯されている、請求項４に記載の梃子式ダイヤルゲージ。
【請求項６】
前記アーム部は、複数の前記停止孔を有し、複数の規格の梃子式ダイヤルゲージに共通使用され、梃子式ダイヤルゲージの規格毎に異なる停止孔に前記ピンが挿入される、請求項１乃至５のうちいずれか１項記載の梃子式ダイヤルゲージ。
【請求項７】
前記アーム部は、前記停止孔に、前記梃子式ダイヤルゲージの規格毎に異なる径の前記ピンが停止穴に挿入される、請求項１乃５のうちいずれか１項記載の梃子式ダイヤルゲージ。
【発明の詳細な説明】
【技術分野】
【０００１】
本発明は梃子式ダイヤルゲージに関し、特に梃子式ダイヤルゲージの指針停止位置を調整する機構に関する。
【背景技術】
【０００２】
梃子式ダイヤルゲージが知られている（例えば特許文献１）。図１０は、従来の梃子式ダイヤルゲージ１００の機構を示す図である。梃子式ダイヤルゲージ１００は、本体１０１と、測定子１０２と、アーム部１０３と、止めねじ（正方向）１０５と、止めねじ（逆方向）１０６と、セクターギア１０８と、ピニオン１１３と、ロータリーエンコーダ１１５と、文字盤１１６と、を有する。
【０００３】
測定子１０２は測定子回転軸１０４を介してアーム部１０３と連結される。アーム部１０３は、測定子１０２の回転に合わせて測定子回転軸１０４を回転軸として回転する。
【０００４】
セクターギア１０８は、先端に歯１１１を有し、基端寄りの途中でピン１１０により本体１０１に軸支されている。アーム部１０３の揺動は、セクターギア１０８に突設されたピン１０９ａ又はピン１０９ｂを介して、セクターギア１０８に伝達される。
【０００５】
セクターギア１０８は、ピン１１０を軸として回転し、セクターギア１０８の揺動量は、歯１１１と噛合されたピニオン１１３に伝達される。ピニオン１１３はロータ１１４と連結され、回転軸１１２を中心にして、歯１１１の移動に合わせて回転する。
【０００６】
ロータリーエンコーダ１１５は、ロータ１１４の回転量を検出する。文字盤１１６は、ロータリーエンコーダ１１５が検出したロータ１１４の回転量を表示する。
【０００７】
梃子式ダイヤルゲージ１００においては、測定子１０２の停止位置を調整するため、本体１０１に止めねじ（正方向）１０５と止めねじ（逆方向）１０６とが設けられている。止めねじ１０５と止めねじ１０６とは、アーム部１０３を間にして、先端同士に所定のギャップを保つように対向配置されている。前記ギャップの間でのみアーム部１０７は揺動できる。止めねじ（正方向）１０５と止めねじ（逆方向）１０６とについて、進退量を調整しておくことで、アーム部１０３の揺動角度を制限し、測定子１０２の停止位置を調整する。
【先行技術文献】
【特許文献】
【０００８】
【特許文献１】登録実用新案第３０６１９１０号公報
【発明の概要】
【発明が解決しようとする課題】
【０００９】
ところで、梃子式ダイヤルゲージの指針停止位置について、日本工業規格（JIS B 7533）は、「指針は測定範囲を超えて更に５目盛以上動くこと」と定めている。従ってこの規格を遵守するように止めねじ（正方向）１０５と止めねじ（逆方向）１０６との進退量をそれぞれ調整するようにしなければならない。
【００１０】
しかしながら、一般の梃子式ダイヤルゲージ１００は、指針停止位置を調整するための止めねじが、止めねじ（正方向）１０５と止めねじ（逆方向）１０６とで２箇所あり、調整に時間がかかるという問題があった。
【００１１】
また、止めねじ（正方向）１０５と止めねじ（逆方向）１０６とは、経年変化によるねじの緩みからその停止位置がずれてしまうことがある。
【００１２】
またさらに、止めねじ（正方向）１０５と止めねじ（逆方向）１０６とが緩まないように止めねじ自体に緩みにくくなる処理を施すことがあり、例えば、止めねじ（正方向）１０５と止めねじ（逆方向）１０６とを指針停止位置に調整後に接着剤で固定する等している。しかし、止めねじ（正方向）１０５と止めねじ（逆方向）１０６とに、指針停止位置調整後に接着剤を塗布すると、外観不良が発生してしまう恐れがある。
【００１３】
本実施の形態にかかる梃子式ダイヤルゲージは、このような問題点を解決するためになされたものであり、止めねじを用いずに、測定子の指針停止位置を決定することが可能な梃子式ダイヤルゲージを提供することを目的とする。
【課題を解決するための手段】
【００１４】
本発明にかかる梃子式ダイヤルゲージは、地板と、揺動軸に揺動可能に設けられた測定子と、測定子と連結されて揺動軸を支点にして測定子と一体的に揺動するアーム部と、を備え、アーム部は、揺動軸を支点にして揺動する角度を調整するための停止孔を有し、停止孔には停止孔の直径より小さい直径のピンが挿入され、ピンは地板に対して固定されるものである。これにより、アーム部は停止孔に挿入されたピンにより揺動可能な範囲が調整される。
【発明の効果】
【００１５】
本発明によれは、止めねじを用いずに、測定子の指針停止位置を決定することができる梃子式ダイヤルゲージを提供することができる。
【図面の簡単な説明】
【００１６】
【図１】実施の形態１にかかる梃子式ダイヤルゲージのムーブメントの分解斜視図を示す図である。
【図２】実施の形態１にかかる組み立てられたムーブメントの一部を示す斜視図である。
【図３】実施の形態１にかかるアーム部を示す図である。
【図４】実施の形態１にかかるアーム部で第１指針停止孔または第２指針停止孔を設ける位置を示す図である。
【図５】実施の形態１にかかるアーム部の第１指針停止孔と第２指針停止孔とを拡大した図である。
【図６】実施の形態１にかかるピンを示す図である。
【図７】実施の形態１にかかるアーム部の一部を拡大した図である。
【図８】実施の形態１にかかる第２指針停止孔が長孔の場合を示す図である。
【図９】実施の形態２にかかる偏芯ピンと地板とを示す図である。
【図１０】一般の梃子式ダイヤルゲージを示す図である。
【発明を実施するための形態】
【００１７】
実施の形態１
以下、図面を参照して本発明の実施の形態について説明する。図１は、本実施の形態にかかる梃子式ダイヤルゲージ１のムーブメント１ａの分解斜視図を示す図である。梃子式ダイヤルゲージ１のムーブメント１ａは、地板２と、地板３と、測定子４と、アーム部としてのアーム部６と、セクターギア９と、ピニオン１３と、ロータ１４と、とで構成される。
【００１８】
測定子４は、地板２と地板３との間において、揺動軸５を軸として揺動可能に設けられている。測定子４とアーム部６とは一体的に連結され、測定子４が揺動軸５を軸として揺動するのに合わせて、アーム部６は揺動軸５を支点にして揺動する。
【００１９】
アーム部６は、接触部６１ａと接触部６１ｂとを有する。接触部６１ａは、セクターギア９の基端寄りに突設された伝達ピン１０ａに接触しており、接触部６１ｂはセクターギア９の先端寄りに突設された伝達ピン１０ｂに接している。
【００２０】
セクターギア９は、地板２と地板３との間において、回転軸１１を軸として揺動可能に設けられる。セクターギア９には、伝達ピン１０ａ又は伝達ピン１０ｂを介してアーム部６の揺動が伝達され、これにより先端の歯１２が移動するようになっている。
【００２１】
ピニオン１３は、歯１２と噛合して、歯１２の移動にあわせてピニオン回転軸１５を中心に、歯１２の移動方向と逆方向に回転する。ロータ１４はピニオン１３と一体となって連結されており、ピニオン１３の回転と連動して回転する。ロータ１４の回転は図１には図示しない文字盤のユニットに伝達される。
【００２２】
ここで、本実施の形態にかかるアーム部６は、第１指針停止孔７と第２指針停止孔８とを有する。第１指針停止孔７及び第２指針停止孔８を形成する位置や、それぞれの孔径など詳細については別途後述する。第１指針停止孔７又は第２指針停止孔８に、ピン２０が挿入される。ここでは、第２指針停止孔８にピン２０が挿入される。
【００２３】
図２は、組み立てられたムーブメント１ａの一部を示す斜視図である。ピン２０は、地板２に圧入され、第２指針停止孔８に挿入される。
【００２４】
本実施の形態では、アーム部６の第２指針停止孔８にピン２０を挿入することにより、アーム部６の揺動範囲を制限し、測定子４の停止位置を設定することが可能である。ピン２０を挿入することによって、アーム部６の揺動範囲を制限するため、従来の止めねじに比べて、アーム部６の揺動範囲がずれにくくなる。
【００２５】
本実施の形態にかかる梃子式ダイヤルゲージ１は、測定子４の指針停止位置、すなわちアーム部６の死点角度の調整を、アーム部６に形成した第１指針停止孔７又は第２指針停止孔８にピン２０を挿入することで行う構造とする。これにより、部品点数を減らし、また死点角度の調整時間を減らせるため、コスト削減が可能である。
【００２６】
また、本実施の形態によれば、梃子式ダイヤルゲージの動作確認や経年変化による測定子４の指針停止位置の変化がない。さらに、アーム部６に挿入されるピン２０は、梃子式ダイヤルゲージの内部に設けられるため、外観不良が発生しない。
【００２７】
アーム部６と、第１指針停止孔７と第２指針停止孔８とについて更に詳細に説明する。図３は、アーム部６を示す図である。点線は、正方向と逆方向の死点位置にあるアーム部６を示す。ピン２０の側面が第２指針停止孔８の内周と接するとき、測定子４の角度が死点位置となるようにピン２０と第２指針停止孔８とは形成される。なお以下の説明において、死点角度φは、すなわち測定子４の指針停止位置のことである。また、死点角度φは、測定子４が梃子式ダイヤルゲージ１に対して平行な位置を基準として、揺動軸５を支点にして、アーム部６を正方向又は逆方向に揺動させた角度を指す。死点角度は、梃子式ダイヤルゲージの規格により、それぞれ異なるものである。
【００２８】
図４は、アーム部６において第１指針停止孔７または第２指針停止孔８を設ける位置を示す図である。図４に示すように、第１指針停止孔７は、測定子４の中心軸の延長線上で、揺動軸５からＬ１の位置に設けられる。第２指針停止孔８は、測定子４の中心軸の延長線上で、揺動軸５からＬ２の位置に設けられる。なお、Ｌ１＜Ｌ２とする。
【００２９】
図５は、アーム部６の第１指針停止孔７と第２指針停止孔８とを拡大した図である。第１指針停止孔７と第２指針停止孔８は、プレスで製作される。プレスは肉厚以下の直径の穴を形成することは困難であり、また、穴を形成する際に、穴の周辺外形の残り肉の幅Ｗも板厚以上が必要になる。従って、ここでは、穴を形成しても外形の残り肉の幅を板厚以上確保可能な位置とした。
【００３０】
図６は、ピン２０を示す図である。ピン２０の直径φは、例えば数ｍｍ（例えば１．０）のものを用いるようにしてもよい。また、梃子式ダイヤルゲージは、複数の機種で同じ規格のピン２０を共用するようにしてもよい。ダイヤルゲージ毎にピン２０の直径等を変更することは可能であるが、ピン２０の直径を変更するより、第１指針停止孔７及び第２指針停止孔８の直径を変更する方が容易である。そのため、本実施の形態においては、同じ規格のピン２０を使用する。
【００３１】
次に、第１指針停止孔７及び第２指針停止孔８の直径の計算方法について説明する。図７は、アーム部６の一部を拡大した図である。第１指針停止孔７にピン２０を差し込んだときには、ピン２０の中心軸と、揺動軸５と、ピン２０の側面とが角度α１を成すとする。また、第２指針停止孔８にピン２０を差し込んだときには、ピン２０の中心軸と、揺動軸５と、ピン２０の側面とが角度α２を成すとする。
【００３２】
アーム部６は、揺動軸５を支点にして正方向と逆方向とに死点角度φ分揺動可能でなくてはならない。よって、第１指針停止孔７にピン２０が挿入される場合、ピン２０の側面と、揺動軸５と、第１指針停止孔７の内周面と、がなす角度がφとなるように、第１指針停止孔７の穴径が決定される。すなわち、第１指針停止孔７にピン２０が挿入される場合、ピン２０の中心軸と、揺動軸５と、第１指針停止孔７との内周面とがなす角度がα１＋φ°にならなくてはならない。
【００３３】
同様に、第２指針停止孔８にピン２０が挿入される場合、ピン２０の側面と、揺動軸５と、第２指針停止孔８と、が成す角度がφとなるように、第２指針停止孔８の穴径が決定される。すなわち、第２指針停止孔８にピン２０が挿入される場合、ピン２０の中心軸と、揺動軸５と、第２指針停止孔８の内周面とがなす角度が、α２＋φ°にならなくてはならない。
【００３４】
ここで、揺動軸５からＬ２離れた位置に第２指針停止孔８を形成しようとすると、残り肉の幅Ｗが板厚以下となる場合が生じ得る。この場合、第２指針停止孔８は丸穴ではなく、長穴としてもよい。図８は、第２指針停止孔８が長穴の場合を示す図である。長穴は、半円と半円とを直線で接続した形状であり、半円の半径はＤ３ｍｍであり、長穴の長径はＤ４ｍｍである。第２指針停止孔８を長穴にすることで、アーム部６の残り肉の幅Ｗを板厚以上にすることが可能である。なお、ここでは第２指針停止孔８を、半円と半円とを直線で接続した形状としているが、楕円形状にしてもよい。
【００３５】
また、測定子の指針停止位置
だけが異なる２機種を製造する場合、第１指針停止孔７及び第２指針停止孔８の形状以外、同じ形状のアーム部６を使用する。例えば、一の機種をダイヤルゲージＡとし、他の機種をダイヤルゲージＢとする。第１指針停止孔７として、梃子式ダイヤルゲージＢ用の穴を形成し、第２指針停止孔８として、梃子式ダイヤルゲージＡ用の穴を形成するようにすればよい。
【００３６】
実施の形態２
本実施の形態においては、アーム部６の部品公差のばらつきを調整するために、ピン２０に換えて、偏芯ピン２１を用いる場合について説明する。なお、実施の形態１と同様の構成については同じ符号を用い、説明は適宜省略する。図９（ａ）は偏芯ピン２１を示す図である。図９（ｂ）は、地板２に偏芯ピン２１を圧入した状態を示す図である。本実施の形態においては、アーム部６の部品公差のばらつきにより、正方向と逆方向の指針停止位置がずれてしまう場合に、偏芯ピン２１を地板２に圧入する。
【００３７】
偏芯ピン２１は、地板２に圧入される圧入部２１ａと、アーム部６の第２指針停止孔８挿入される部分である偏芯部２１ｂとを有する。偏芯部２１ｂの中心軸は、圧入部２１ａの中心軸に対してずれている。本実施の形態では、偏芯ピン２１の圧入部２１ａと偏芯部２１ｂとのずれにより、アーム部６の部品公差により生じる測定子４の正方向と逆方向の停止角度をそろえることができる。
【００３８】
なお、本実施の形態においては、圧入部２１ａの中心軸と偏芯部２１ｂの中心軸とをずらしているが、圧入部２１ａの中心軸と偏芯部２１ｂの中心軸とをずらさずに、圧入部２１ａの直径と偏芯部２１ｂとが異なるように構成してもよい。これにより、アーム部６の部品公差により生じる測定子４の停止角度のばらつきを調整することができる。
【００３９】
さらに、実施の形態１と実施の形態２とを組み合わせて実施することも可能であることはもちろんである。すなわち、本発明においては、インジケータの指針停止位置は、アーム部に設けられた指針停止孔と揺動軸５との距離と、指針停止孔に挿入されるピンの直径と、指針停止孔の形状と、を変更するにより調整される。これにより、本実施の形態にかかるダイヤルゲージは、外観不良を起こすことなく、さらに経年変化等による指針停止位置のずれを発生しにくくすることが可能である。
【００４０】
なお、本発明は上記実施の形態に限られたものではなく、趣旨を逸脱しない範囲で適宜変更することが可能である。例えば、アーム部６は第１指針停止孔７と第２指針停止孔８との両方を有するが、どちらか一方を有するようにしてもよい。
【符号の説明】
【００４１】
１  梃子式ダイヤルゲージ
１ａ  ムーブメント
２、３  地板
４  測定子
５  揺動軸
６  アーム部
７  第１指針停止孔
８  第２指針停止孔
９  セクターギア
１０ａ  伝達ピン
１０ｂ  伝達ピン
１１  回転軸
１２  歯
１３  ピニオン
１４  ロータ
１５  ピニオン回転軸
２０  ピン
２１  偏芯ピン
１００  梃子式ダイヤルゲージ
１０１  本体
１０２  測定子
１０３  アーム部
１０４  測定子回転軸
１０５  止めねじ（正方向）
１０６  止めねじ（逆方向）
１０８  セクターギア
１０９ａ、１０９ｂ  ピン
１１０  ギア回転軸
１１１  歯
１１２  回転軸
１１３  ピニオン
１１４  ロータ
１１５  ロータリーエンコーダ
１１６  文字盤
【図１】
2014081304.tif 000003
【図２】
2014081304.tif 000004
【図３】
2014081304.tif 000005
【図４】
2014081304.tif 000006
【図５】
2014081304.tif 000007
【図６】
2014081304.tif 000008
【図７】
2014081304.tif 000009
【図８】
2014081304.tif 000010
【図９】
2014081304.tif 000011
【図１０】
2014081304.tif 000012